(57)【要約】【課題】流体が通過可能なムートンを用いた敷物を提供する。【解決手段】ムートンを用いた敷物は、羊毛が密集した羊毛部８と、羊毛部が密着固定された羊毛固定部２とを有するムートン体１と、流体２２が通過可能な大きさの開口部１１を有するネット又はメッシュ生地１０と、を備える。【選択図】図１
2008295850.tif 000002
【特許請求の範囲】
【請求項１】
羊毛が密集した羊毛部と、羊毛部が密着固定された羊毛固定部とを有するムートン体と、
流体が通過可能な大きさの開口部を有するネット又はメッシュ生地と、を備えることを特徴とするムートンを用いた敷物。
【請求項２】
前記ムートン体は、複数のムートン片から構成され、
前記ムートン片のそれぞれは、前記ネット又はメッシュ生地によって連結されることを特徴とする、請求項１記載の敷物。
【請求項３】
前記ムートン体は、複数のムートン片から構成され、
前記ムートン片のそれぞれは、前記ネット又はメッシュ生地の上に固定されることを特徴とする、請求項１記載の敷物。
【請求項４】
前記ムートン片は、羊毛部及び羊毛固定部が部分的に存在しない非ムートン部を形成するように前記ネット又はメッシュ生地の上に配置されることを特徴とする、請求項３記載の敷物。
【請求項５】
前記ムートン片の内側部分に、羊毛部及び羊毛固定部が部分的に存在しない非ムートン部を有して、
当該非ムートン部を覆うように前記ネット又はメッシュ生地が装着されることを特徴とする、請求項１記載の敷物。
【請求項６】
前記ネット又はメッシュ生地が織物又は編物からなり、網目の交点部分が、目ズレ防止のための固定構造を有することを特徴とする、請求項１乃至５のいずれかに記載の敷物。
【請求項７】
前記固定構造が、溶着、接着、撚り合わせ又は結節の中から選択された少なくとも一つであることを特徴とする、請求項６記載の敷物。
【請求項８】
前記ネット又はメッシュ生地は、樹脂の押出成形加工、又は樹脂フィルムの穴開け加工によって作成されることを特徴とする、請求項１乃至５のいずれかに記載の敷物。
【請求項９】
請求項１乃至８記載の敷物の裏面側に、健康補助成分を含んだ流体を発する健康補助器材を配置し、ネット又はメッシュ生地の開口部を介して、健康補助器材と敷物の表面側との間が流体的に連通していることを特徴とする寝具。
【請求項１０】
前記流体には、オゾン、熱、マイナスイオンあるいは水分の中から選ばれたものを少なくとも一つ含んでいることを特徴とする、請求項９記載の寝具。
【発明の詳細な説明】
【技術分野】
【０００１】
本発明は、優れた肌触りや保温性を有するムートンを用いた敷物に関し、詳細には、温熱発生機能やマイナスイオン発生機能や消臭・吸着・吸湿機能等の様々な機能が付与された、ムートンを用いた敷物に関する。
【背景技術】
【０００２】
従来から、敷物として、優れた肌触りや保温性を有する羊毛の天然ムートンあるいは人工ムートンがよく使用されている。
【０００３】
天然ムートンは、銀面と呼ばれる皮部の上を、密集した羊毛が覆っている構造をしていて、らせん状の縮れ毛が高い保温・断熱効果を発揮するとともに、羊毛自身の優れた吸湿性及び放湿性によって、さらっとした肌触りを保つことができる。したがって、天然ムートンは、寝具等の敷物に好適な素材と言われている。
【０００４】
また、人工ムートンは、伸縮性の少ない織布又は不織布からなる裏地層と、ウールパイルを地糸に編み込んだニット地層と、ニット地層を裏地層に接着するためのニット地接着層とを備えたパッチからなり、パッチを複数個つなぎ合わせてシート状敷物にしたものである。
【０００５】
ところで、天然又は人工のムートンからなる敷物を使って就寝するときに、安眠・リラックス効果が得られるように、温熱板やマイナスイオン発生シートや備長炭シートやゲルマニウムシート等の健康補助器材を天然又は人工のムートンの敷物の下に配置して天然又は人工のムートンと併用したいという要望がある。
【０００６】
そこで、皮部の裏面側にマイナスイオン発生機能を持った粉体を塗布することによって、毛皮にマイナスイオン発生機能を付与することが提案されている（例えば、特許文献１を参照）。
【０００７】
しかしながら、天然ムートンの皮部や人工ムートンの裏地層等は、通気性を有していないために、熱やマイナスイオン等の健康補助成分を含んだ流体が皮部や裏地層等を通過して羊毛側（表面側）に流出することが遮断されてしまう。したがって、天然又は人工のムートンでは、皮部や裏地層等の流体遮蔽効果によって、皮部や裏地層等というムートンの裏面側で発生したマイナスイオンをムートンの表面側に運ぶことができないために、所望の健康補助効果を得ることができないという問題がある。
【特許文献１】特開２０００−１７３００号公報
【発明の開示】
【発明が解決しようとする課題】
【０００８】
したがって、本発明の解決すべき技術的課題は、流体が通過可能な、ムートンを用いた敷物を提供することであり、さらに、天然ムートンの皮部や人工ムートンの裏地層の側に配置された健康補助器材からのオゾン、熱、マイナスイオンあるいは水分等の健康補助成分を含んだ有益な流体がムートンの羊毛側に提供されることによって高機能化が図られる、ムートンを用いた敷物を提供することである。
【課題を解決するための手段及びその作用と効果】
【０００９】
上述の技術的課題を解決するために、本発明に係るムートンを用いた敷物は、以下の特徴を有する。
【００１０】
すなわち、本発明に係るムートンを用いた敷物は、
羊毛が密集した羊毛部と、羊毛部が密着固定された羊毛固定部とを有するムートン体と、
流体が通過可能な大きさの開口部を有するネット又はメッシュ生地と、を備えることを特徴とする。
【００１１】
ムートンは羊毛が密集したフサフサとした羊毛部を備えていることを特徴とするものであるので、ムートンに小さな通気穴を設けたくらいでは、ムートンのフサフサとした羊毛部によって通気穴が覆い隠されてしまう。そのために、小さな通気穴で十分な通気性を確保することは困難である。これに対して、上記構成の敷物によれば、流体が通過可能な通り道（path）がネット又はメッシュ生地によって明確に確保されているので、ネット又はメッシュ生地の開口部を通じて流体が通過することができる。したがって、ネット又はメッシュ生地の開口部を介して、ムートン体の裏面側に配置された健康補助器材からのオゾン、熱、マイナスイオンあるいは水分等の健康補助成分を含んだ有益な流体が流通することができるので、敷物の高機能化を図ることができる。
【００１２】
ムートン体とネット又はメッシュ生地との関係は様々な形態で構成することができる。
【００１３】
例えば、ムートン体は、複数のムートン片から構成され、前記ムートン片のそれぞれは、前記ネット又はメッシュ生地によって連結される。ムートン片をベースにして、ムートン片の周りにネット又はメッシュ生地を繋ぎ目として配設するというものであり、ムートン片が主であり、ネット又はメッシュ生地が従であるという関係である。
【００１４】
あるいは、ムートン体は、複数のムートン片から構成され、前記ムートン片のそれぞれは、前記ネット又はメッシュ生地の上に固定される。ネット又はメッシュ生地をベースにして、ネット又はメッシュ生地の上にムートン片を適宜配設するというものであり、ネット又はメッシュ生地が主であり、ムートン片が従であるという関係である。
【００１５】
ムートン片を島のように点在させて様々な部位に通気性を持たせることもできるが、局所的な部位に通気性を持たせるために、ムートン片は、羊毛部及び羊毛固定部が部分的に存在しない非ムートン部を形成するように前記ネット又はメッシュ生地の上に配置される。
【００１６】
上述したいずれの場合も、ムートン片の外側部から通気性が提供されているが、ムートン片の内側部から通気性を提供するために、ムートン片の内側部分に、羊毛部及び羊毛固定部が部分的に存在しない非ムートン部を有して、当該非ムートン部を覆うように前記ネット又はメッシュ生地が装着される。
【００１７】
ネット又はメッシュ生地がある程度の伸縮性を持っていてもよいが、好ましくは、ネット又はメッシュ生地が織物又は編物からなり、網目の交点部分が、目ズレ防止のための固定構造を有する。
【００１８】
目ズレ防止のための固定構造として、固定構造が、溶着、接着、撚り合わせ又は結節の中から選択された少なくとも一つである。
【００１９】
目ズレ防止のために、ネット又はメッシュ生地は、樹脂の押出成形加工、又は樹脂フィルムの穴開け加工によって作成される。
【００２０】
また、本発明に係る寝具は、上述した敷物の裏面側に、健康補助成分を含んだ流体を発する健康補助器材を配置し、ネット又はメッシュ生地の開口部を介して、健康補助器材と敷物の表面側との間が流体的に連通していることを特徴とする。
【００２１】
健康補助器材が、温熱板、マイナスイオン発生器、備長炭シート又はゲルマニウムシート等であるならば、流体には、オゾン、熱、マイナスイオンあるいは水分の中から選ばれたものを少なくとも一つ含んでいる。
【発明を実施するための最良の形態】
【００２２】
以下に、本発明の第一実施形態に係るムートン体１及び寝具５０を、図１及び２を参照しながら詳細に説明する。なお、ムートン体１として天然ムートンを使用している。
【００２３】
天然のムートン体１は、図1に模式的に示すように、羊毛８が密集した羊毛部と、羊毛８の生えている表皮層、柱状の繊維組織を有する銀面層、及び不図示の体内組織とつながっていたが体内組織から剥ぎ取られた裏皮層とからなる皮部（羊毛固定部）７と、が一体的に積層した構造をしている。天然のムートン体１は、複数の天然のムートン片（パッチ）７を組み合わせて、全体として例えば約１００ｃｍ×約２００ｃｍのサイズのものが形成される。羊毛８の長さは、例えば、約１５乃至約３５ｍｍである。皮部（羊毛固定部）７の厚みは、２乃至３ｍｍである。
【００２４】
図１に示した天然のムートン体１は、図２に示すように、長方形の形状をした１２個の天然のムートン片７の裏面側６において、ネット又はメッシュ生地１０を繋ぎ目として縫製することによって一体的に構成したものである。
【００２５】
ネット又はメッシュ生地１０は、網目状の織物又は編物である。適度の通気性を確保するために、ネット又はメッシュ生地１０の開口部１１は、約０．５ｍｍ乃至約５ｍｍの目開きを有するものが実用的である。開口率は、約３０％乃至約９０％である。開口部１１の形状は、菱形や六角形等の多角形状や丸形形状であってもよい。織物又は編物に使用される糸は、化繊糸や合繊糸や麻糸や綿糸等が使用可能であるが、耐熱性や吸水性や強度の面から、ポリエステル１００％のものが好適である。
【００２６】
ムートンとの縫製が容易であるように、ネット又はメッシュ生地１０の網目の変形及び目ズレを防止するために、網目を構成する縦糸１２及び横糸１４が交わる交点は、縦糸１２及び横糸１４を加熱によって溶着する溶着固定、接着剤を用いた接着固定、網目を形成する際に糸を撚り合わせる撚り合わせ（無結節）固定又は糸を結節部で結び合わせて網目を構成する結節固定の中から選択された少なくとも一つによって固定される。
【００２７】
あるいは、ネット又はメッシュ生地１０の網目の変形及び目ズレを防止する構成として、樹脂フィルムを成形する時あるいはフィルムを成形した後に、二次加工的に、開口部１１を形成する樹脂フィルムの穴開け加工によって作成することができる。また、樹脂を紡糸するときにネット形状を作り出す押出ノズルからネット状に押し出す樹脂の押出成形加工によって作成することができる。
【００２８】
目ズレしにくいネット又はメッシュ構造として、平織りネット、カラミ織りネット、ラッセル織りネット、トリカルネット等が使用可能である。
【００２９】
様々な構造を持ったネット又はメッシュ生地１０が使用可能であり、ムートンとの縫製が容易であるようにネット又はメッシュ生地１０の網目を固定することが好ましいが、必須とするものではない。
【００３０】
ムートンとの縫製のしやすさや強度や形態安定性の面から、上下二枚のネット又はメッシュ構造を有する編地を弾性のある縦糸で繋いだクッション性のある立体編物（例えば、旭化成繊維（株）の商品名フュージョン）が好適である。この場合、二重のネット又はメッシュ構造となっている。
【００３１】
図１に示すように、裏生地２８と天然のムートン体１の裏面側６との間に、健康補助器材２０を離間して又は密接して配置することによって、寝具５０が作製される。健康補助器材２０としては、セラミックヒータが埋め込まれた温熱板、トルマリンを含んだマイナスイオン発生器、備長炭の微粉を不織布等に添着させた備長炭シート又はゲルマニウムシート等が用いられる。温熱板からは、熱が放出されて、熱を含んだ空気（流体）が漂う。マイナスイオン発生器からは、オゾンやマイナスイオンが放出されて、オゾンやマイナスイオンを含んだ空気（流体）２２が漂う。備長炭シートからは、マイナスイオンが放出されて、マイナスイオンを含んだ空気（流体）２２が漂うとともに、不快なニオイを含んだ空気（流体）２２が吸収される（消臭・脱臭効果）。ゲルマニウムシートからは、マイナスイオンが放出されて、マイナスイオンを含んだ空気（流体）２２が漂う。
【００３２】
オゾン、熱、マイナスイオンあるいは水分等の健康補助成分を含んだ空気（流体）２２は、天然のムートン体１の裏面側６から、すなわちネット又はメッシュ生地１０の開口部１１から導入され、対向する天然のムートン片７の側面の間隙を通って、天然のムートン体１の表面側４から放出される。逆に、不快なニオイを含んだ空気（流体）２２は、天然のムートン体１の表面側４から導入され、対向する天然のムートン片７の側面の間隙の中を通って、天然のムートン体１の裏面側６から放出される。したがって、ネット又はメッシュ生地１０を介して、裏面側６に配置された健康補助器材２０からのオゾン、熱、マイナスイオンあるいは水分等の健康補助成分を含んだ有益な流体２２が流通して、安眠効果やリラックス効果の元を表面側４に提供することができるので、寝具５０の使用者は、安眠効果やリラックス効果を得ることができる。
【００３３】
次に、本発明の第二実施形態に係るムートン体１及び寝具５０を、図３及び４を参照しながら詳細に説明する。なお、ムートン体１として天然ムートンを使用している。その基本的な構成要素は上述した第一実施形態と同じであるので、重複する部分の説明を省略して、相違点を中心に説明する。両実施形態において、同一の部分や相当する部分には、同じ符号を付してある。
【００３４】
第一実施形態のムートン体１及び寝具５０と比較すると、ネット又はメッシュ生地１０に対する天然のムートン片７の固定構造が相違している。
【００３５】
すなわち、図３及び４に示したムートン体１及び寝具５０は、例えば１００ｃｍ×２００ｃｍのサイズのネット又はメッシュ生地１０の上に複数の天然のムートン片７が縫製された構成である。図４に示した天然のムートン体１では、１７個の大略菱形をした天然のムートン片７と、４個の大型三角形をした天然のムートン片７と、１０個の小型三角形をした天然のムートン片７と、が使用されている。
【００３６】
上記構成によれば、天然のムートン片７の配置や形状に関する自由度がアップする。
【００３７】
次に、本発明の第三実施形態に係るムートン体１及び寝具５０を、図５を参照しながら詳細に説明する。なお、ムートン体１として人工ムートンを使用している。その基本的な構成要素は上述した第一実施形態と同じであるので、重複する部分の説明を省略して、相違点を中心に説明する。両実施形態において、同一の部分や相当する部分には、同じ符号を付してある。
【００３８】
第一実施形態のムートン体１及び寝具５０と比較すると、人工ムートンを使用していること、ネット又はメッシュ生地１０がムートン片７を繋ぎ目として使用されていないことが相違している。
【００３９】
すなわち、例えば複数の人工のムートン片７を用いて１００ｃｍ×２００ｃｍのサイズのムートン体を作成する。人工のムートン片７は、伸縮性の少ない織布又は不織布からなる裏地層と、ウールパイルを地糸に編み込んだニット地層と、ニット地層を裏地層に接着するためのニット地接着層とを備えている。人工のムートン片７においては、裏地層とニット地層とニット地接着層とによって羊毛固定部が構成される。人工のムートン体１は、所定部分において、人工のムートン片７すなわち羊毛部及び羊毛固定部が部分的に存在しない非ムートン部１６を有している。図５に示した実施形態では、人工のムートン体１の右側の中央部分に非ムートン部１６を有している。そして、当該非ムートン部１６を覆うように前記ネット又はメッシュ生地１０が装着固定される。
【００４０】
上記構成によれば、ムートン体１において特定の部位に通気性を持たせて、オゾン、熱、マイナスイオンあるいは水分等の健康補助成分を含んだ空気（流体）２２を集中的に提供することが可能となる。
【００４１】
次に、本発明の第四実施形態に係るムートン体１及び寝具５０を、図６を参照しながら詳細に説明する。なお、ムートン体１として人工ムートンを使用している。その基本的な構成要素は上述した第一実施形態と同じであるので、重複する部分の説明を省略して、相違点を中心に説明する。両実施形態において、同一の部分や相当する部分には、同じ符号を付してある。
【００４２】
第三実施形態のムートン体１及び寝具５０と比較すると、人工のムートン片７の内側部分に非ムートン部１６すなわち、ネット又はメッシュ生地１０を備えていることが相違している。
【００４３】
すなわち、例えば複数の人工のムートン片７を用いて１００ｃｍ×２００ｃｍのサイズのムートン体１を作成するが、人工のムートン体１は、所望とする人工のムートン片７の内側部分において、羊毛部及び羊毛固定部が部分的に存在しない非ムートン部１６を有している。図６に示した実施形態では、人工のムートン体１の右側において、非ムートン部１６を有する６枚のムートン片７を使用している。当該６枚のムートン片７は、それぞれ、三角形状や菱形形状や丸形状や星形形状や方形形状や馬蹄形状等の非ムートン部１６を少なくとも一つ備えている。そして、当該非ムートン部１６を覆うように前記ネット又はメッシュ生地１０が装着固定される。
【００４４】
上記構成によれば、ムートン体１において特定の部位に通気性を持たせて、オゾン、熱、マイナスイオンあるいは水分等の健康補助成分を含んだ空気（流体）２２を集中的に提供することが可能となる。また、非ムートン部１６を三角形状等の模様とすることで意匠的な面白さも備えている。
【００４５】
なお、ムートン片７とネット又はメッシュ生地１０との間の固定方法としては、縫製に限定されるものではなく、接着固定も可能である。ムートン片７を規則的に配列することは必ずしも必要とするものではなく、異形のムートン片７をランダムに配置することも可能である。
【図面の簡単な説明】
【００４６】
【図１】本発明の第一実施形態に係る、天然ムートンを用いた寝具の断面図である。
【図２】図１に示した天然ムートンを用いた寝具の上面図である。
【図３】本発明の第二実施形態に係る、天然ムートンを用いた寝具の断面図である。
【図４】図３に示した天然ムートンを用いた寝具の上面図である。
【図５】本発明の第三実施形態に係る、人工ムートンを用いた寝具の上面図である。
【図６】本発明の第四実施形態に係る、人工ムートンを用いた寝具の上面図である。
【符号の説明】
【００４７】
１  ムートン体
２  皮部（羊毛固定部）
４  表面側
６  裏面側
７  ムートン片
８  羊毛（羊毛部）
１０  ネット又はメッシュ生地
１１  開口部
１２  縦糸
１４  横糸
１６  非ムートン部
２０  健康補助器材
２２  健康補助成分を含んだ流体
２８  裏生地
５０  寝具
【図１】
2008295850.tif 000003
【図２】
2008295850.tif 000004
【図３】
2008295850.tif 000005
【図４】
2008295850.tif 000006
【図５】
2008295850.tif 000007
【図６】
2008295850.tif 000008